(57)【要約】      （修正有）【課題】ファンモータ台が正規の取付位置からずれたまま固定されることを抑制できる空気調和機の室外ユニットを提供する【解決手段】底板３３と、ファンモータ台２８１と、固定用ネジとを備える。ファンモータ台２８１は、底板３３に固定される。固定用ネジは、底板３３とファンモータ台２８１とを固定するためのものである。底板３３およびファンモータ台２８１の一方には、切り起こし部と、被挿入部３３３ａ，３３３ｂとが形成される。切り起こし部には、第１ネジ孔が形成される。被挿入部３３３ａ，３３３ｂには、上面側に突出する上面側突出部３３６ａ，３３６ｂが一部に形成される。【選択図】図５
2011106758.tif 000002
【特許請求の範囲】
【請求項１】
底板（３３）と、
前記底板（３３）に固定されるファンモータ台（２８１）と、
前記底板（３３）と前記ファンモータ台（２８１）とを固定するための固定用部材（８１）と、
を備え、
前記底板（３３）および前記ファンモータ台（２８１）の一方に、第１孔（３３１ａ）が形成された第１板部（３３１）と、上面側に突出する上面側突出部（３３６ａ，３３６ｂ）が一部に形成される被挿入部（３３３ａ，３３３ｂ）とが形成され、
前記底板（３３）および前記ファンモータ台（２８１）の他方に、第２孔（４２２ａ）が形成された第２板部（４２２）と、下面側に突出する下面側突出部（４２３ａ，４２３ｂ）が一部に形成され前記被挿入部（３３３ａ，３３３ｂ）に挿入可能な挿入部（４１３ａ，４１３ｂ）とが形成され、
前記挿入部（４１３ａ，４１３ｂ）が前記被挿入部（３３３ａ，３３３ｂ）に挿入されることで、前記被挿入部（３３３ａ，３３３ｂ）の下面と前記挿入部（４１３ａ，４１３ｂ）の上面とが接触し、前記第１孔（３３１ａ）と前記第２孔（４２２ａ）とが重なって、前記固定用部材（８１）が前記第１孔（３３１ａ）と前記第２孔（４２２ａ）とに挿入可能になる、
空気調和機（１）の室外ユニット（２）。
【請求項２】
前記上面側突出部（３３６ａ，３３６ｂ）の上面（３３７ａ，３３７ｂ）と、前記被挿入部（３３３ａ，３３３ｂ）の、前記挿入部（４１３ａ，４１３ｂ）との接触面（３３４ａ，３３４ｂ，３３４ｃ，３３４ｄ）を有する被接触部（３３５ａ，３３５ｂ，３３５ｃ，３３５ｄ）の上面（３３８ａ，３３８ｂ，３３８ｃ，３３８ｄ）との距離（ｄ４）は、形成される前記底板（３３）または前記ファンモータ台（２８１）の板厚以上であり、
前記下面側突出部（４２３ａ，４２３ｂ）の下面（５２３ａ，５２３ｂ）と、前記挿入部（４１３ａ，４１３ｂ）の前記下面側突出部（４２３ａ，４２３ｂ）を除く部分の下面（５２４ａ，５２４ｂ，５２４ｃ，５２４ｄ）との距離（ｄ２）は、形成される前記底板（３３）または前記ファンモータ台（２８１）の板厚以上である、
請求項１に記載の空気調和機（１）の室外ユニット（２）。
【請求項３】
前記上面側突出部（３３６ａ，３３６ｂ）の、前記挿入部（４１３ａ，４１３ｂ）の挿入方向に平行な面に対して直交する第１方向の幅（Ｗ１）は、前記被挿入部（３３３ａ，３３３ｂ）の前記第１方向の幅（Ｗ２）の半分以下であり、
前記下面側突出部（４２３ａ，４２３ｂ）の、前記第１方向の幅（Ｗ４）は、前記挿入部（４１３ａ，４１３ｂ）の前記第１方向の幅（Ｗ５）の半分以下である、
請求項１又は２に記載の空気調和機（１）の室外ユニット（２）。
【請求項４】
前記第１板部（３３１）は、前記第２板部（４２２）に対して略平行となるように切り起こされて形成される、
請求項１〜３のいずれか１項に記載の空気調和機（１）の室外ユニット（２）。
【請求項５】
前記被挿入部（３３３ａ，３３３ｂ）は、前記挿入部（４１３ａ，４１３ｂ）の挿入方向に平行な面に対して直交する断面視において段差状となるように形成される、
請求項１〜４のいずれか１項に記載の空気調和機（１）の室外ユニット（２）。
【発明の詳細な説明】
【技術分野】
【０００１】
本発明は、空気調和機の室外ユニットに関する。
【背景技術】
【０００２】
従来、ケーシングの内部が鉛直方向に延びる仕切板によって送風機室と機械室とに分割される空気調和機の室外ユニットが存在する。送風機室には、熱交換器、ファン、ファンモータ等が配置され、機械室には、圧縮機や電装品ユニット等が配置されている。
【０００３】
ここで、一般に、空気調和機の室外ユニットにおいては、ファンモータは、ケーシングの下面を構成する底板に固定されたファンモータ台に固定されている。
【０００４】
ファンモータ台の底板への固定方法には、例えば、特許文献１（特開平８−１７８３６１号公報）に開示されているようなものが挙げられる。簡単に説明すると、特許文献１（特開平８−１７８３６１号公報）に開示の空気調和機の室外ユニットでは、底板に相当するベースには２つの突起部と、穴が形成されるボルト取付板とが設けられ、ファンモータ台には下端部に２つの取付穴が形成され、ボルト取付板の穴に対応する位置にボルト挿通穴が形成されている。そして、突起部に取付穴を挿通させて、ボルト挿通穴及びボルト取付板の穴を介してファンモータ台とボルト取付板とをボルト止めすることで、ファンモータ台がベースに固定されている。
【発明の概要】
【発明が解決しようとする課題】
【０００５】
特許文献１（特開平８−１７８３６１号公報）に記載の空気調和機の室外ユニットでは、２つの取付穴のうちの一方が２つの突起部の一方に嵌まっていなくても、ファンモータ台をボルト取付板にボルトによって固定することが可能になる場合があると考えられる。この場合、ファンモータ台は正規の取付位置よりもずれることになるので、ファンモータ台の強度に影響があることが懸念される。また、この場合、このファンモータ台に取り付けられるファンも正規の取付位置よりずれることになるので、ファンの羽根と、一般に空気調和機の室外ユニットの前側部分に設けられるベルマウスとが当たってしまうことも懸念される。そして、組立工程の後半に、室外ファンとベルマウスとの接触に気付いたとすると、ファンモータ台の底板への取り付けから再度始めなければならないため、施工者等の手間がかかることが懸念される。
【０００６】
そこで、本発明の課題は、ファンモータ台が正規の取付位置からずれたまま固定されることを抑制できる空気調和機の室外ユニットを提供することにある。
【課題を解決するための手段】
【０００７】
第１発明に係る空気調和機の室外ユニットは、底板と、ファンモータ台と、固定用部材とを備える。ファンモータ台は、底板に固定される。固定用部材は、底板とファンモータ台とを固定するためのものである。底板およびファンモータ台の一方には、第１板部と、被挿入部とが形成される。第１板部には、第１孔が形成される。被挿入部には、上面側に突出する上面側突出部が一部に形成される。底板およびファンモータ台の他方には、第２板部と、挿入部とが形成される。第２板部には、第２孔が形成される。挿入部は、下面側に突出する下面側突出部が一部に形成され被挿入部に挿入可能である。そして、挿入部が被挿入部に挿入されることで、被挿入部の下面と挿入部の上面とが接触し、第１孔と第２孔とが重なって、固定用部材が第１孔と第２孔とに挿入可能になる。
【０００８】
第１発明に係る空気調和機の室外ユニットでは、挿入部が被挿入部に挿入されると、被挿入部の下面と挿入部の上面とが接触し、第１孔と第２孔とが重なる構成となっている。この状態で、固定用部材によって第１孔と第２孔とを介してファンモータ台と底板とが固定されることで、ファンモータ台が正規の取付位置からずれたまま固定されることを抑制できる。
【０００９】
第２発明に係る空気調和機の室外ユニットは、第１発明に係る空気調和機の室外ユニットであって、上面側突出部の上面と、被挿入部の、挿入部との接触面を有する被接触部の上面との距離は、形成される底板またはファンモータ台の板厚以上であり、下面側突出部の下面と、挿入部の下面側突出部を除く部分の下面との距離は、形成される底板またはファンモータ台の板厚以上である。
【００１０】
第２発明に係る空気調和機の室外ユニットでは、例えば、挿入部が被挿入部の上面にのった状態においては、第１孔と第２孔とに固定用部材を挿入することができないような状態を作り出すことができる。これにより、ファンモータ台が正規の取付位置からずれたまま固定されることを抑制できる。
【００１１】
第３発明に係る空気調和機の室外ユニットは、第１発明又は第２発明に係る空気調和機の室外ユニットであって、上面側突出部の、挿入部の挿入方向に平行な面に対して直交する第１方向の幅は、被挿入部の第１方向の幅の半分以下であり、下面側突出部の第１方向の幅は、挿入部の第１方向の幅の半分以下である。
【００１２】
第３発明に係る空気調和機の室外ユニットでは、挿入部と被挿入部とは、それぞれ、互いに接触することができる面を有している。これにより、ファンモータ台が少なくとも一時的に支持された状態を、作り出すことができる。
【００１３】
第４発明に係る空気調和機の室外ユニットは、第１発明〜第３発明のいずれか１発明に係る空気調和機の室外ユニットであって、第１板部は、第２板部に対して略平行となるように切り起こされて形成される。
【００１４】
第４発明に係る空気調和機の室外ユニットでは、第１板部が第２板部に対して略平行となるように形成されることにより、第１孔と第２孔とに固定用部材を挿入すること、すなわち、施工が容易になる。
【００１５】
第５発明に係る空気調和機の室外ユニットは、第１発明〜第４発明のいずれか１発明に係る空気調和機の室外ユニットであって、被挿入部は、挿入部の挿入方向に平行な面に対して直交する断面視において段差状となるように形成される。
【００１６】
第５発明に係る空気調和機の室外ユニットでは、被挿入部が、挿入部の挿入方向に平行な面に対して直交する断面視において段差状となるように形成されることで、被挿入部は、挿入部に接触する面と、上面側に突出する部分とを有することができる。以上により、ファンモータ台が少なくとも一時的に支持された状態を、作り出すことができる。また、例えば、挿入部が被挿入部の上面にのった状態においては、第１孔と第２孔とに固定用部材を挿入することができないような状態を作り出すことができる。
【発明の効果】
【００１７】
第１発明に係る空気調和機の室外ユニットでは、ファンモータ台が正規の取付位置からずれたまま固定されることを抑制できる。
【００１８】
第２発明に係る空気調和機の室外ユニットでは、挿入部が被挿入部の上面にのった状態においては、第１孔と第２孔とに固定用部材を挿入することができないような状態を作り出すことができる。これにより、ファンモータ台が正規の取付位置からずれたまま固定されることを抑制できる。
【００１９】
第３発明に係る空気調和機の室外ユニットでは、ファンモータ台が少なくとも一時的に支持された状態を、作り出すことができる。
【００２０】
第４発明に係る空気調和機の室外ユニットでは、施工が容易になる。
【００２１】
第５発明に係る空気調和機の室外ユニットでは、ファンモータ台が少なくとも一時的に支持された状態を、作り出すことができる。また、例えば、挿入部が被挿入部の上面にのった状態においては、第１孔と第２孔とに固定用部材を挿入することができないような状態を作り出すことができる。
【図面の簡単な説明】
【００２２】
【図１】空気調和機の概略外観図。
【図２】空気調和機の冷媒回路の系統図。
【図３】底板の概略平面図。
【図４】室外ファン及び室外ファンの周辺を示す概略斜視図。
【図５】ファンモータ台が底板に固定された状態における、底板とファンモータ台との位置関係を示す一部の概略斜視図（固定用ネジについては省略）。
【図６】ファンモータ台の正面図。
【図７】ファンモータ台の右側面図。
【図８】ファンモータ台の水平基部を示すための水平基部の周辺の平面図。
【図９】ファンモータ台の挿入部を示すための挿入部の周辺の概略斜視図。
【図１０】図８のX−X部で切断した断面図。
【図１１】図３のXI―XI部で切断した断面図。
【図１２】図３のXII―XII部で切断した断面図。
【図１３】挿入部が被挿入部に挿入された状態における挿入部と被挿入部との位置関係を示すために正面から視た模式図。
【図１４】ファンモータが底板に固定された状態を示すためのファンモータ台と底板との模式断面図。
【図１５】挿入部が被挿入部の上面に載るような状態を示すための挿入部と被挿入部との正面から視た模式図。
【発明を実施するための形態】
【００２３】
以下、図面を参照しながら、本発明の一実施形態に係る空気調和機１について説明する。なお、以下の実施形態は、本発明の具体例であって、本発明の技術的範囲を限定するものではない。
【００２４】
＜空気調和機１の構成＞
図１は、空気調和機１の概略外観図である。図２は、空気調和機１の冷媒回路１０の系統図である。
【００２５】
空気調和機１は、蒸気圧縮式の冷凍サイクル運転を行うことによって、建物内の居室における冷暖房に使用される機器である。空気調和機１は、図１及び図２に示すように、主として、建物の室外に設置される１台の室外ユニット２と、建物の居室内の天井や壁面に設置される室内ユニット４と、室外ユニット２と室内ユニット４とを接続する液側冷媒連絡配管６及びガス側冷媒連絡配管７とを備えている。すなわち、室外ユニット２と、室内ユニット４と、液側冷媒連絡配管６及びガス側冷媒連絡配管７とが接続されることにより、空気調和機１の冷媒回路１０が構成されている。以下、空気調和機１の冷媒回路１０の構成について説明する。
【００２６】
＜空気調和機１の冷媒回路１０の概略構成＞
図２に示すように、空気調和機１の冷媒回路１０は、室内ユニット４が有する室内側冷媒回路１０ａと、室外ユニット２が有する室外側冷媒回路１０ｂとを有している。
【００２７】
室内側冷媒回路１０ａは、主として、室内熱交換器４１を有している。室内熱交換器４１は、伝熱管と多数のフィンとにより構成されたクロスフィン式のフィン・アンド・チューブ型熱交換器である。なお、室内ユニット４は、室内ファン４２を有している。室内ファン４２は、室内ファンモータ４２ｍによって駆動され、室内熱交換器４１に供給する室内空気の量を可変することが可能なクロスフローファンである。また、室内ファン４２は、室内ユニット４内に室内空気を吸入して、室内熱交換器４１において冷媒と熱交換させた後に、室内に排出するための送風ファンとして機能する。
【００２８】
室外側冷媒回路１０ｂは、主として、圧縮機２１と、四路切換弁２２と、室外熱交換器２３と、室外膨張弁２４と、アキュムレータ２５と、液側閉鎖弁２６と、ガス側閉鎖弁２７とを有している。また、室外ユニット２は、室外ファン２８を有している。これらの各種機器については、以下の＜室外ユニット２の構成＞の箇所で説明する。
【００２９】
＜室外ユニット２の構成＞
図３は、底板３３の概略平面図である。
【００３０】
室外ユニット２は、図１に示すように、主として、略直方体形状のケーシング２０を有している。
【００３１】
（１）ケーシング２０の構成
ケーシング２０は、板金及び樹脂によって形成され、側方ケーシング部材３１と、天板３２と、底板３３（図３を参照）とから構成されている。
【００３２】
側方ケーシング部材３１は、ケーシング２０の側面を構成する板状部材であり、主として、前板３１ａと、右側板３１ｂと、左側板（図示せず）とを有している。前板３１ａは、ケーシング２０の前面を構成し、樹脂又は板金から形成される。前板３１ａには、空気を吹き出すための吹出口１３１ａが形成されており、ケーシング２０の内部の空気は吹出口１３１ａを介して外部へと吹き出される。右側板３１ｂは、ケーシング２０の右側面及び背面の一部を構成し、板金で形成される。左側板は、ケーシング２０の左側面を構成し、板金で形成される。
【００３３】
天板３２は、ケーシング２０の上面を構成する略直方形状の板状部材である。天板３２は、板金で形成される。天板３２の周縁部分は、プレス成形等により内側に折り曲げられて略鉛直下方を向いている。これにより、天板３２は、側方ケーシング部材３１の上端部に嵌合可能で且つ係合可能な形状を有している。
【００３４】
底板３３は、ケーシング２０の下面を構成する略直方形状の板状部材である。底板３３は、板金で形成される。底板３３は、図３に示すように、主として、水平面に沿う水平部３３ａと、水平部３３ａの周縁部分から略鉛直上方に立ち上がる鉛直部３３ｂとを有している。水平部３３ａと鉛直部３３ｂとは、一体成形される。このような構成により、底板３３は、側方ケーシング部材３１の下端部に嵌合可能で且つ係合可能な形状を有している。また、底板３３の上面（すなわち、水平部３３ａの上面）には、強度を上げるための凹凸や溝が形成されている。また、底板３３の下面（すなわち、水平部３３ａの下面）には、室外ユニット２をブロック等に固定するための金属製の板状部材である据付脚３４ａ，３４ｂ（図１を参照）が設けられている。なお、底板３３については、後に、より詳細に説明する。
【００３５】
（２）ケーシング２０の内部の構成
図４は、室外ファン２８及び室外ファン２８の周辺を示す概略斜視図である。
【００３６】
ケーシング２０内には、主として、圧縮機２１等の室外側冷媒回路１０ｂを構成する室外側冷媒回路構成機器と、電装品ユニット（図示せず）と、室外ファン２８と、室外ファンモータ２８ｍと、ベルマウス２９１（いずれも図４を参照）と、ファンモータ台２８１（図５〜図９を参照）とが収容されている。
【００３７】
なお、ケーシング２０の内部は、底板３３から天板３２にかけて略鉛直に延びる仕切板（図示せず）により送風機室（図示せず）と機械室（図示せず）との２つの空間に分割されている。送風機室には、室外熱交換器２３、室外ファン２８、室外ファンモータ２８ｍ、ファンモータ台２８１、ベルマウス２９１等が配置され、機械室には、圧縮機２１、四路切換弁２２、電装品ユニット等が配置されている。
【００３８】
（ａ）室外側冷媒回路構成機器
以下、室外側冷媒回路構成機器について図２を用いて説明する。
【００３９】
圧縮機２１は、運転容量を可変することが可能な圧縮機であり、圧縮機モータ２１ｍによって駆動される容積式圧縮機である。圧縮機２１は、底板３３に固定されている。
【００４０】
四路切換弁２２は、冷媒の流れ方向を切り換えるための弁であり、第１状態（図２の四路切換弁２２の実線を参照）と、第２状態（図２の四路切換弁２２の破線を参照）とを採ることができる。第１状態では、圧縮機２１の吐出側と室外熱交換器２３のガス側とが接続されると共に圧縮機２１の吸入側と室内熱交換器４１のガス側とが接続されている。すなわち、四路切換弁２２が第１状態を採る場合は、冷媒回路１０が冷房運転の状態となっている。第２状態では、圧縮機２１の吐出側と室内熱交換器４１のガス側（具体的には、ガス側冷媒連絡配管７）とが接続されると共に圧縮機２１の吸入側と室外熱交換器２３のガス側とが接続されている。すなわち、四路切換弁２２が第２状態を採る場合は、冷媒回路１０が暖房運転の状態となっている。
【００４１】
室外熱交換器２３は、伝熱管と多数のフィンとにより構成されるクロスフィン式のフィン・アンド・チューブ型熱交換器である。室外熱交換器２３は、そのガス側が四路切換弁２２に接続され、その液側が液側冷媒連絡配管６に接続されている。また、室外熱交換器２３は、ケーシング２０の左側面と背面とに沿うように配置され、平面視が略Ｌ字となるような形状を有している。
【００４２】
室外膨張弁２４は、室外側冷媒回路１０ｂ内を流れる冷媒の圧力や流量の調節を行うために、室外熱交換器２３の液側に接続された電動膨張弁である。
【００４３】
アキュムレータ２５は、圧縮機２１の吸入側と四路切換弁２２との間に接続され、冷媒回路１０内を循環する低圧冷媒を一時的に溜めるための容器である。
【００４４】
液側閉鎖弁２６及びガス側閉鎖弁２７は、外部の機器・配管（具体的には、液側冷媒連絡配管６及びガス側冷媒連絡配管７）との接続口に設けられた弁である。液側閉鎖弁２６は、室外熱交換器２３に接続されている。ガス側閉鎖弁２７は、四路切換弁２２に接続されている。
【００４５】
（ｂ）電装品ユニット
電装品ユニットは、圧縮機モータ２１ｍ、室外ファンモータ２８ｍ等の回転数を制御するためのインバータ制御素子等の電装品が実装された基板や、室外ユニット２の運転制御を行うためのマイクロコンピュータ等の電装品が実装された基板を収容している。
【００４６】
（ｃ）室外ファン２８
室外ファン２８は、室外熱交換器２３の空気流の下流側に配置されており、正面視において、送風機室の略中央部に配置されている。室外ファン２８は、複数の羽根を有するプロペラファンであり、室外ファンモータ２８ｍが駆動されることによって、室外熱交換器２３に供給する室外空気の量を可変することが可能なファンである。また、室外ファン２８は、室外ユニット２内に室外空気を吸入して、室外熱交換器２３において冷媒と熱交換させた後に、室外に排出するためのファンとしても機能する。すなわち、室外ファン２８（具体的には、室外ファンモータ２８ｍ）が駆動されることによって、ケーシング２０の外方（具体的には、後方）からケーシング２０内に流入する室外空気が吹出口１３１ａを介してケーシング２０の外方（具体的には、前方）へ導かれる空気流が形成される。より具体的には、ケーシング２０の外方からケーシング２０内に流入する室外空気は、室外熱交換器２３を通り、後述するベルマウス２９１に形成される開口２９２ａ，２９３ａ（図４を参照）を通って吹出口１３１ａを介してケーシング２０の外方へと流出する。
【００４７】
（ｄ）室外ファンモータ２８ｍ
室外ファンモータ２８ｍは、インバータ装置（図示せず）を介して電力の供給を受けて駆動されるようになっており、周波数（すなわち、回転数）を可変することによって、室外ファン２８の風量を可変することが可能である。室外ファンモータ２８ｍは、図４に示すように、背面側から室外ファン２８に取り付けられる。室外ファンモータ２８ｍは、回転軸がケーシング２０の前後方向と平行になるように配置される。室外ファンモータ２８ｍの回転軸は、室外ファン２８の回転の中心に固定される。このため、室外ファン２８は、室外ファンモータ２８ｍが駆動されることによって回転駆動をすることができる。
【００４８】
なお、ここでは図示はしていないが、室外ファンモータ２８ｍの後方には、室外ファンモータ２８ｍを取り付けて固定するためのファンモータ台２８１が位置している。
【００４９】
（ｅ）ベルマウス２９１
ベルマウス２９１は、ポリプロピレン等の樹脂から形成されており、室外ファン２８によって生成される空気流をケーシング２０の外方（具体的には、前方）へと導く機能を有する。ベルマウス２９１は、前板３１ａの内面に沿って前板３１ａの内面に固定される。ベルマウス２９１は、室外ファン２８の周囲を覆うように配置され、前板３１ａに形成される吹出口１３１ａに対応するように配置されている。
【００５０】
ベルマウス２９１は、円筒部２９２と、平面部２９３とを有している。
【００５１】
円筒部２９２は、薄肉の中空円筒形状を有している。円筒部２９２は、ベルマウス２９１の後側部分に設けられており、室外ファン２８によって生じる空気流が通る円形の開口２９２ａを形成している。円筒部２９２は、開口２９２ａの中心が室外ファン２８の回転軸と一致するように配置されている。
【００５２】
平面部２９３は、正面視において長方形の外形を有する薄肉の部材であり、ベルマウス２９１の前面側部分に設けられている。平面部２９３は、その面積の大部分が円形の開口２９３ａによって占められている。この開口２９３ａの縁は、円筒部２９２に連続しており、室外ファン２８によって生成された空気流が通り抜けるようになっている。
【００５３】
以上、ケーシング２０の内部に収容される主な構成機器や構成部材について説明した。ここで、室外ファンモータ２８ｍを固定するためのファンモータ台２８１については、以下に、ファンモータ台２８１が固定される底板３３と合わせて説明することにする。
【００５４】
＜ファンモータ台２８１及び底板３３について＞
（１）ファンモータ台２８１
図５は、ファンモータ台２８１が底板３３に固定された状態における、底板３３とファンモータ台２８１との位置関係を示す一部の概略斜視図（後述する固定用ネジ８１については省略）である。図６は、ファンモータ台２８１の正面図である。図７は、ファンモータ台２８１の右側面図である。図８は、ファンモータ台２８１の水平基部４０３を示すための水平基部４０３の周辺の平面図である。図９は、挿入部４１３ｂを示すための挿入部４１３ｂの周辺の概略斜視図である。図１０は、図８のX−X部で切断した断面図である。
【００５５】
ファンモータ台２８１は、室外ファンモータ２８ｍを固定して支持する部材であり、板金で形成されている。ファンモータ台２８１は、ケーシング２０の略中央部より背面側の領域に配置されている。ファンモータ台２８１は、室外ファン２８及び室外ファンモータ２８ｍの後方であって室外熱交換器２３の前方に配置されており、底板３３から天板３２と略同じ高さまで略鉛直上方に延びるように配置されている。ファンモータ台２８１の上下端には、図６に示すように、それぞれネジ孔３９３，第２ネジ孔４２２ａ（第２孔に相当）が形成されている。このネジ孔３９３，４２２ａを介して、ファンモータ台２８１の上端は、室外熱交換器２３の上端部に固定され、下端は、底板３３に固定されている。なお、ファンモータ台２８１の上端は、天板３２に固定されていてもよい。
【００５６】
ファンモータ台２８１は、外形が略直方形の形状を有しており、主として、室外ファンモータ２８ｍを取り付けるモータ取付部３８１と、モータ取付部３８１の上縁から略鉛直上方に延びる上支持部３９１と、モータ取付部３８１の下縁から略鉛直下方に延びる下支持部４０１とを有している。
【００５７】
モータ取付部３８１には、正面視において略正方形の四角が切り落とされて八角形となるような形状を有する、開口３８２が形成されている。この開口３８２は、モータ取付部３８１の大部分を占めている。開口３８２の縁部分のうち、モータ取付部３８１の四辺それぞれに対して傾斜している４つの部分（開口３８２の縁部分のうちモータ取付部３８１の角部分に対応する４つの部分）からは、正面視においてそれぞれ中心に向かって延びるような４つのモータ支持部３８３ａ，３８３ｂ，３８３ｃ，３８３ｄが形成されている。モータ支持部３８３ａ，３８３ｂ，３８３ｃ，３８３ｄは、図７に示すように、開口３８２の縁部分から前方に突出している。図６に示すように、モータ支持部３８３ａ，３８３ｂ，３８３ｃ，３８３ｄには、それぞれ、ネジ等を挿通させるためのネジ孔３８４ａ，３８４ｂ，３８４ｃ，３８４ｄが形成されている。これらのモータ支持部３８３ａ，３８３ｂ，３８３ｃ，３８３ｄのそれぞれには、室外ファンモータ２８ｍの４つの支持脚２８０ａ，２８０ｃ，２８０ｄ（図４を参照、左下方部に位置する支持脚については図示せず）のそれぞれが当接されて室外ファンモータ２８ｍがファンモータ台２８１に固定される。具体的には、室外ファンモータ２８ｍの４つの支持脚２８０ａ，２８０ｃ，２８０ｄのそれぞれに形成されるネジ孔２８１ａ，２８１ｃ，２８１ｄ（左下方部に位置する支持脚に形成されるネジ孔については図示せず）とネジ孔３８４ａ，３８４ｂ，３８４ｃ，３８４ｄとを介してネジが挿通されることで、室外ファンモータ２８ｍ（具体的には、４つの支持脚２８０ｂ，２８０ｃ，２８０ｄ）が、ファンモータ台２８１（具体的には、モータ取付部３８１のモータ支持部３８３ａ，３８３ｂ，３８３ｃ，３８３ｄ）に取り付けられて固定される。
【００５８】
上支持部３９１には、略長方形の形状を有する開口３９２が形成されている。この開口３９２は、上支持部３９１の大部分を占めるように形成されている。上支持部３９１の上端部には、上述した天板３２や室外熱交換器２３に固定するためのネジ孔３９３が形成されている。
【００５９】
下支持部４０１は、略直方形の形状を有し、図５〜図９に示すように、主として、鉛直基部４０２と、水平基部４０３と、連結部４０４とを有している。
【００６０】
鉛直基部４０２は、正面視における外形が略直方形の形状を有し、モータ取付部３８１の下縁部から底板３３と略同じ高さまで略鉛直下方に延びる。また、鉛直基部４０２は、その両側端が、プレス成形等により後方に折り曲げられている。鉛直基部４０２は、その中央部に鉛直基部４０２の大部分を占める略直方形状の開口４１２が形成されている。この開口４１２は、上支持部３９１に形成される開口３９２と略同じ大きさの開口である。
【００６１】
また、鉛直基部４０２には、開口４１２を除いた部分である外枠部４０２ａの下端部であって略中央部に、底板３３に固定される固定部４２２（第２板部に相当）が形成されている。固定部４２２は、図７に示すように、側面視において、外枠部４０２ａの固定部４２２を除く部分の前面に対して傾斜するように形成されている。具体的には、固定部４２２は、後述する水平基部４０３の水平面に対する傾斜角度θ１が鈍角（ここでは、θ１＝１１０°）となるような傾斜を有している。
【００６２】
また、固定部４２２には、ファンモータ台２８１を底板３３に固定するための第２ネジ孔４２２ａが形成されている。
【００６３】
水平基部４０３は、図５や図７に示すように、水平方向に延びる部分であり、鉛直基部４０２に対して鉛直となるように前方に延びている。水平基部４０３は、下支持部４０１の下面、すなわち、ファンモータ台２８１の下面を構成しており、ファンモータ台２８１を略鉛直方向に起立させる機能を有している。水平基部４０３は、平面視が略Ｅ形状となるように形成されている。
【００６４】
水平基部４０３には、図５や図８に示すように、その両端部にそれぞれ、底板３３に形成される被挿入部３３３ａ，３３３ｂ（後述する）に一部が挿入される挿入部４１３ａ，４１３ｂが形成されている。
【００６５】
挿入部４１３ａ，４１３ｂには、水平基部４０３の水平面に対して下面側に突出する下面側突出部４２３ａ，４２３ｂ（具体的には、図１０を参照）が、その略中央部に形成されている。下面側突出部４２３ａ，４２３ｂの、挿入部４１３ａ，４１３ｂの挿入方向（すなわち、前後方向）の長さＬ１は、挿入部４１３ａ，４１３ｂ全体の前後方向の長さＬ２に対して略３／４の長さとなっている。
【００６６】
下面側突出部４２３ａ，４２３ｂは、図１０に示すように、プレス成形によって、正面視においてＶ字に近い略Ｕ字の形状となるように形成されている。下面側突出部４２３ａ，４２３ｂは、プレス成形されることにより、その内部に空間Ｓ１（具体的には、下面側突出部４２３ａ，４２３ｂの上面から、図１０の破線に示す後述する接触面４３３ａ，４３３ｂ，４３３ｃ，４３３ｄの高さ位置に相当する部分までの空間）が形成される。この空間Ｓ１の最大の上下方向の距離ｄ１は、例えば、１．５ｍｍであり、ファンモータ台２８１の板厚以上となっている。また、図９及び図１０に示すように、下面側突出部４２３ａ，４２３ｂの下面５２３ａ，５２３ｂと、挿入部４１３ａ，４１３ｂの下面側突出部４２３ａ，４２３ｂを除く部分である平面部４２４ａ，４２４ｂ，４２４ｃ，４２４ｄの下面５２４ａ，５２４ｂ，５２４ｃ，５２４ｄ（挿入部の下面側突出部を除く部分の下面に相当）との距離ｄ２は、例えば、１．５ｍｍであり、ファンモータ台２８１の板厚以上となっている。
【００６７】
また、図８及び図１０に示すように、下面側突出部４２３ａ，４２３ｂの、挿入部４１３ａ，４１３ｂの挿入方向に平行な面に対して直交する第１方向の幅Ｗ４は、挿入部４１３ａ，４１３ｂの第１方向の幅Ｗ５の半分以下である。これにより、挿入部４１３ａ，４１３ｂの平面部４２４ａ，４２４ｂ，４２４ｃ，４２４ｄは、それぞれ、その上面の一部に、底板３３（具体的には、後述する被接触面３３４ａ，３３４ｂ，３３４ｃ，３３４ｄ）に接触することが可能な接触面４３３ａ，４３３ｂ，４３３ｃ，４３３ｄ（挿入部の上面に相当）を有している。
【００６８】
連結部４０４は、図５等に示すように、鉛直基部４０２と水平基部４０３とを連結させる部分であり、湾曲している。
【００６９】
（２）底板３３の詳細構成
図１１は、図３のXI―XI部で切断した一部の断面図である。図１２は、図３のXII―XII部で切断した断面図である。
【００７０】
図３や図５に示すように、底板３３の水平部３３ａの略中央部よりも左側の領域であって略中央部よりも背面側の領域には、２つの小開口３３０ａ，３３０ｂが形成されている。
【００７１】
また、底板３３の水平部３３ａには、この小開口３３０ａ，３３０ｂと、その内部に形成される空間Ｓ２（後述する）とが連通するような２つの被挿入部３３３ａ，３３３ｂが形成されている。被挿入部３３３ａ，３３３ｂは、ファンモータ台２８１に形成される２つの挿入部４１３ａ，４１３ｂを挿入するためのものであり、それぞれ、挿入部４１３ａ，４１３ｂに対応するように形成されている。
【００７２】
被挿入部３３３ａ，３３３ｂは、プレス成形等によって、図１２に示すように、挿入部４１３ａ，４１３ｂの挿入方向に平行な面に対して直交する断面視において、段差状となるような形状を有するように形成される。被挿入部３３３ａ，３３３ｂの上端部（具体的には、上面）の高さ位置は、底板３３の水平部３３ａの上面の高さ位置よりも底板３３の板厚以上に高くなっている。そして、これにより、被挿入部３３３ａ，３３３ｂの内部（下面側）には、空間Ｓ２（具体的には、図１２の破線に示す底板３３の水平部３３ａの下面の高さ位置に相当する部分と被挿入部３３３ａ，３３３ｂの下面とによって形成される空間）が形成されている。
【００７３】
被挿入部３３３ａ，３３３ｂは、それぞれ、図５や図１２に示すように、主として、挿入部４１３ａ，４１３ｂの上面（具体的には、接触面４３３ａ，４３３ｂ，４３３ｃ，４３３ｄ）に接触する被接触面３３４ａ，３３４ｂ，３３４ｃ，３３４ｄ（被挿入部の挿入部との接触面に相当）を下面に有する被接触部３３５ａ，３３５ｂ，３３５ｃ，３３５ｄと、被接触部３３５ａ，３３５ｂ，３３５ｃ，３３５ｄにそれぞれ連結され被接触部３３５ａ，３３５ｂ，３３５ｃ，３３５ｄよりもさらに上面側に突出する上面側突出部３３６ａ，３３６ｂとを有している。
【００７４】
被接触部３３５ａ，３３５ｂ，３３５ｃ，３３５ｄの上面３３８ａ，３３８ｂ，３３８ｃ，３３８ｄは、それぞれ、底板３３の水平部３３ａの上面の高さ位置よりも高い位置にある。具体的には、被接触部３３５ａ，３３５ｂ，３３５ｃ，３３５ｄの上面３３８ａ，３３８ｂ，３３８ｃ，３３８ｄは、それぞれ、底板３３の水平部３３ａの上面の高さ位置よりも、底板３３の板厚以上に高い位置にある。さらに具体的には、被接触部３３５ａ，３３５ｂ，３３５ｃ，３３５ｄの上面３３８ａ，３３８ｂ，３３８ｃ，３３８ｄと、底板３３の水平部３３ａの上面との距離ｄ３は、例えば、１．２ｍｍである。
【００７５】
また、被接触部３３５ａ，３３５ｂ，３３５ｃ，３３５ｄは、上面側突出部３３６ａ，３３６ｂを両側から挟むように位置している。ここで、挿入部４１３ａ，４１３ｂが被挿入部３３３ａ，３３３ｂに挿入された状態において、挿入部４１３ａ，４１３ｂの挿入部分の前後方向の長さ（すなわち、接触面４３３ａ，４３３ｂ，４３３ｃ，４３３ｄと後述する被接触面３３４ａ，３３４ｂ，３３４ｃ，３３４ｄとの接触する部分の前後方向の長さ）は、挿入部４１３ａ，４１３ｂ全体の前後方向の長さＬ２（図８を参照）の略１／２である。また、挿入部４１３ａ，４１３ｂが被挿入部３３３ａ，３３３ｂに挿入された状態において、挿入部４１３ａ，４１３ｂの挿入部分の前後方向の長さ（すなわち、接触面４３３ａ，４３３ｂ，４３３ｃ，４３３ｄと被接触面３３４ａ，３３４ｂ，３３４ｃ，３３４ｄとの接触する部分の前後方向の長さ）は、下面側突出部４２３ａ，４２３ｂの前後方向の長さＬ１（図８を参照）の略２／３である。
【００７６】
上面側突出部３３６ａ，３３６ｂの上面３３７ａ，３３７ｂは、それぞれ、被接触部３３５ａ，３３５ｂ，３３５ｃ，３３５ｄの上面３３８ａ，３３８ｂ，３３８ｃ，３３８ｄの高さ位置よりも底板３３の板厚以上に高くなるような高さ位置にある。具体的には、上面側突出部３３６ａ，３３６ｂの上面３３７ａ，３３７ｂと、被接触部３３５ａ，３３５ｂ，３３５ｃ，３３５ｄの上面３３８ａ，３３８ｂ，３３８ｃ，３３８ｄとの距離ｄ４は、例えば、１ｍｍであり、底板３３の板厚以上である。
【００７７】
また、上面側突出部３３６ａ，３３６ｂの第１方向の幅Ｗ１は、被挿入部３３３ａ，３３３ｂの第１方向の幅Ｗ２の半分以下である。さらに、上面側突出部３３６ａ，３３６ｂの第１方向の幅Ｗ１は、被接触部３３５ａ，３３５ｂ，３３５ｃ，３３５ｄと上面側突出部３３６ａ，３３６ｂとの第１方向の幅Ｗ３の半分以下である。これらにより、被挿入部３３３ａ，３３３ｂの被接触部３３５ａ，３３５ｂ，３３５ｃ，３３５ｄは、それぞれ、下面に、ファンモータ台２８１（具体的には、接触面４３３ａ，４３３ｂ，４３３ｃ，４３３ｄ）に接触することが可能な被接触面３３４ａ，３３４ｂ，３３４ｃ，３３４ｄを有している。よって、挿入部４１３ａ，４１３ｂが被挿入部３３３ａ，３３３ｂに挿入された際、少なくとも一時的に、ファンモータ台２８１は底板３３によって支持されることができる。
【００７８】
また、底板３３の水平部３３ａには、図１１に示すように、切り起こし部３３１（第１板部に相当）が形成されている。切り起こし部３３１は、図３に示すように、小開口３３０ａ，３３０ｂに挟まれるような位置に形成されている。切り起こし部３３１は、固定部４２２に略平行となるように切り起こされて形成される。ここでは、切り起こし部３３１は、図１２に示すように、底板３３の水平部３３ａに対する傾斜角度θ２が鈍角（ここでは、θ２＝１１０°）となるように底板３３の水平部３３ａから切り起こされている。
【００７９】
また、切り起こし部３３１には、ファンモータ台２８１（具体的には、固定部４２２）を底板（具体的には、切り起こし部３３１）に固定するための第１ネジ孔３３１ａ（第１孔に相当）が形成されている。ここで、底板３３の水平部３３ａに切り起こし部３３１が形成されることにより、小開口３３０ａ，３３０ｂに挟まれる位置には、大開口３３０ｃが形成される。
【００８０】
切り起こし部３３１は、挿入部４１３ａ，４１３ｂが被挿入部３３３ａ，３３３ｂに挿入された状態において、その上面が、ファンモータ台２８１の固定部４２２の背面の近傍に位置するような位置に形成されている。さらに、切り起こし部３３１は、挿入部４１３ａ，４３１ｂが被挿入部３３３ａ，３３３ｂに挿入された状態において、切り起こし部３３１に形成される第１ネジ孔３３１ａと、ファンモータ台２８１の固定部４２２に形成される第２ネジ孔４２２ａとが正面視において重なる（すなわち、第１ネジ孔３３１ａと第２ネジ孔４２２ａとが互いに対向する）位置に形成されている。
【００８１】
以下、ファンモータ台２８１の底板３３への取付方法について図１３〜図１５を用いて説明する。
【００８２】
＜ファンモータ台２８１の底板３３への取付方法＞
図１３は、挿入部４１３ａが被挿入部３３３ａに挿入された状態における挿入部４１３ａと被挿入部３３３ａとの位置関係を示すために正面から視た模式図である。図１４は、ファンモータ台２８１が底板３３に固定された状態を示すためのファンモータ台２８１と底板３３との模式図である。図１５は、挿入部４１３ａが被挿入部３３３ａの上面に載るような状態を示すための挿入部４１３ａと被挿入部３３３ａとの正面から視た模式図である。
【００８３】
まず、施工者等によって、ファンモータ台２８１の挿入部４１３ａ，４１３ｂが底板３３の被挿入部３３３ａ，３３３ｂに挿入される。具体的には、挿入部４１３ａ，４１３ｂの一部が被挿入部３３３ａ，３３３ｂの内部に形成される空間Ｓ２に挿入される。さらに具体的には、図１３に示すように、挿入部４１３ａ，４１３ｂの接触面４３３ａ，４３３ｂ，４３３ｃ，４３３ｄがそれぞれ被挿入部３３３ａ，３３３ｂの被接触面３３４ａ，３３４ｂ，３３４ｃ，３３４ｄのそれぞれに接触するように、ファンモータ台２８１の挿入部４１３ａが底板３３の被挿入部３３３ａ，３３３ｂに挿入される。なお、図１３では、挿入部４１３ａ及び被挿入部３３３ａのみについてしか示していないが、挿入部４１３ｂ及び被挿入部３３３ｂについても同様である。
【００８４】
ここで、上述したように、上面側突出部３３６ａ，３３６ｂの第１方向の幅Ｗ１は、被挿入部３３３ａ，３３３ｂの第１方向の幅Ｗ２の半分以下であり、且つ、被接触部３３５ａ，３３５ｂ，３３５ｃ，３３５ｄと上面側突出部３３６ａ，３３６ｂとの第１方向の幅Ｗ３の半分以下である。また、下面側突出部４２３ａ，４２３ｂの第１方向の幅Ｗ４は、挿入部４１３ａ，４１３ｂの第１方向の幅Ｗ５の半分以下である。よって、挿入部４１３ａ，４１３ｂと被挿入部３３３ａ，３３３ｂとは、それぞれ、互いに接触することができるような面を有している（具体的には、挿入部４１３ａ，４１３ｂは、接触面４３３ａ，４３３ｂ，４３３ｃ，４３３ｄを有し、被挿入部３３３ａ，３３３ｂは、被接触面３３４ａ，３３４ｂ，３３４ｃ，３３４ｄを有している）。従って、ここでは、挿入部４１３ａ，４１３ｂが被挿入部３３３ａ，３３３ｂに挿入された際、挿入部４１３ａ，４１３ｂの接触面４３３ａ，４３３ｂ，４３３ｃ，４３３ｄと、被挿入部３３３ａ，３３３ｂの被接触面３３４ａ，３３４ｂ，３３４ｃ，３３４ｄとがそれぞれ接触することができることによって、ファンモータ台２８１を、底板３３によって一時的に支持することができる。また、ここでは、挿入部４１３ａ，４１３ｂが被挿入部３３３ａ，３３３ｂに挿入されることによって、ファンモータ台２８１の左右方向（第１方向に相当）のズレを規制することができる。
【００８５】
なお、このとき（挿入部４１３ａ，４１３ｂが被挿入部３３３ａ，３３３ｂに挿入された状態において）、底板３３の切り起こし部３３１に形成される第１ネジ孔３３１ａと、ファンモータ台２８１の固定部４２２に形成される第２ネジ孔４２２ａとは、正面視において互いに重なるような位置関係にある。また、このとき、挿入部４１３ａ，４１３ｂの下面側突出部４２３ａ，４２３ｂの一部は、小開口３３０ａ，３３０ｂに位置している。
【００８６】
次に、図１４に示すように、施工者等によって、ファンモータ台２８１の固定部４２２に形成される第２ネジ孔４２２ａと、底板３３の切り起こし部３３１に形成される第１ネジ孔３３１ａとに、底板３３とファンモータ台２８１とを固定するための固定用ネジ８１（固定用部材に相当）が挿通され、固定部４２２が切り起こし部３３１に固定されて、ファンモータ台２８１が底板３３に固定される。このとき、切り起こし部３３１は、固定部４２２に対して略平行となるように底板３３の水平部３３ａから切り起こされているので、施工者等はネジ止め、すなわち、施工がしやすい。なお、本実施形態では、底板３３とファンモータ台２８１とを固定するための固定用部材として固定用ネジ８１を用いているが、これは一例であり、ボルト等の他の部材等を用いてもよい。
【００８７】
ここで、挿入部４１３ａ，４１３ｂは、それぞれ、上述したように、下面側突出部４２３ａ，４２３ｂを有している。また、被挿入部３３３ａ，３３３ｂは、底板３３の水平部３３ａよりも上下方向に高い位置にある被接触部３３５ａ，３３５ｂ，３３５ｃ，３３５ｄと、被接触部３３５ａ，３３５ｂ，３３５ｃ，３３５ｄよりもさらに上下方向に高い位置にある上面側突出部３３６ａ，３３６ｂとを有している。
【００８８】
以上のような構成により、例えば、挿入部４１３ａ，４１３ｂを被挿入部３３３ａ，３３３ｂに挿入する際に、図１５に示すように、２つの挿入部４１３ａ，４１３ｂの一方が、対応する被挿入部３３３ａ，３３３ｂの上面に載るような場合であっても、すなわち、ファンモータ台２８１が底板３３に対して正規の取付位置に位置しないような場合であっても、第１ネジ孔３３１ａと第２ネジ孔４２２ａとに固定用ネジ８１を挿通させることができるような状況、を避けることができる。つまり、以上のような構成により、ファンモータ台２８１が正規の取付位置に対して傾斜したりずれたりする状態においては、ファンモータ台２８１を底板３３に固定することができないようにすることができる。これにより、ファンモータ台２８１の本来の強度を維持することができる。
【００８９】
また、例えば、ファンモータ台２８１がずれて固定されるとファンモータ台２８１に室外ファンモータ２８ｍを介して固定される室外ファン２８もずれて配置されることになる。このとき、室外ファンの前方に位置するベルマウスに室外ファンの羽根が当たることが懸念される。室外ユニットの組立工程の後半に、室外ファンとベルマウスとの接触に気付いたとすると、施工者等は再度、ファンモータ台の底板への取り付けから始めなければならず、手間がかかることが想定される。しかし、本実施形態では、ファンモータ台２８１が正規の取付位置に対してずれたり傾斜したりするような場合は、ファンモータ台２８１を底板３３に固定することが出来ないような構成になっているので、上述のような状況を抑制することができる。
【００９０】
＜本実施形態に係る空気調和機１の室外ユニット２の特徴＞
（１）
一般に、空気調和機の室外ユニットにおいては、室外ファンモータは、ケーシングの下面を構成する底板に固定されたファンモータ台に固定されている。ここで、ファンモータ台の底板の固定方法には、例えば、特許文献１（特開平８−１７８３６１号公報）に開示されているような方法が挙げられる。特許文献１（特開平８−１７８３６１号公報）に開示の空気調和機の室外ユニットでは、本実施形態の底板３３に相当するベースに、２つの突起部と、穴が形成されるボルト取付板とが設けられている。また、ファンモータ台には、その下端部に２つの取付穴が形成され、ボルト取付板の穴に対応する位置にボルト挿通穴が形成されている。そして、突起部に取付穴を挿通させて、ボルト挿通穴及びボルト取付板の穴を介してファンモータ台とボルト取付板とをボルト止めすることで、ファンモータ台がベースに固定されている。
【００９１】
しかし、上記のような空気調和機の室外ユニットにおいては、２つの取付穴のうちの一方が２つの突起部の一方に嵌まっていなくても（例えば、突起部の一方の上面にファンモータ台の下面が載っているような場合であっても）、ファンモータ台をボルト取付板にボルトによって固定することが可能になる場合があると考えられる。この場合、ファンモータ台は正規の取付位置よりも傾斜することになるので、ファンモータ台の強度に影響があることが懸念される。また、この場合、ファンモータ台に取り付けられる室外ファンも傾斜することになるので、室外ファンの羽根と、一般に空気調和機の室外ユニットの前側部分に設けられるベルマウスとが当たってしまうことも懸念される。そして、室外ユニットの組立工程の後半に、室外ファンとベルマウスとの接触に気付いたとすると、ファンモータ台の底板への取り付けから再度始めなければならず、施工者等の手間がかかることが懸念される。
【００９２】
そこで、本実施形態の空気調和機１の室外ユニット２では、挿入部４１３ａ，４１３ｂは、上述したように、その下面５２３ａ，５２３ｂが平面部４２４ａ，４２４ｂ，４２４ｃ，４２４ｄの下面５２４ａ，５２４ｂ，５２４ｃ，５２４ｄよりも低い位置にある下面側突出部４２３ａ，４２３ｂを有している。また、被挿入部３３３ａ，３３３ｂは、挿入部４１３ａ，４１３ｂの挿入方向に平行な面に対して直交する断面視において、段差状となるような形状を有しており、その上面３３８ａ，３３８ｂ，３３８ｃ，３３８ｄが底板３３の水平部３３ａよりも高い位置にある被接触部３３５ａ，３３５ｂ，３３５ｃ，３３５ｄと、その上面３３７ａ，３３７ｂが被接触部３３５ａ，３３５ｂ，３３５ｃ，３３５ｄよりもさらに高い位置にある上面側突出部３３６ａ，３３６ｂとを有している。また、挿入部４１３ａ，４１３ｂは、接触面４３３ａ，４３３ｂ，４３３ｃ，４３３ｄを有し、被挿入部３３３ａ，３３３ｂは、被接触面３３４ａ，３３４ｂ，３３４ｃ，３３４ｄを有している。また、挿入部４１３ａ，４１３ｂが被挿入部３３３ａ，３３３ｂに挿入された際、底板３３の切り起こし部３３１に形成される第１ネジ孔３３１ａと、ファンモータ台２８１の固定部４２２に形成される第２ネジ孔４２２ａとは正面視において重なり固定用ネジ８１を第１ネジ孔３３１ａと第２ネジ孔４２２ａとに挿入可能になる。
【００９３】
このような構成により、ファンモータ台２８１の誤組立を防止することができる。すなわち、ファンモータ台２８１が底板３３に対する正規の取付位置に位置しないような場合（例えば、挿入部４１３ａ，４１３ｂの一方が、対応する被挿入部３３３ａ，３３３ｂの上面に載るような場合）においては、第１ネジ孔３３１ａと第２ネジ孔４２２ａとが正面視において重ならないようになっており、固定用ネジ８１を第１ネジ孔３３１ａと第２ネジ孔４２２ａとに挿入させることが困難になっている。従って、本実施形態では、ファンモータ台２８１が正規の取付位置からずれたり傾斜したりするような状況下においてはファンモータ台２８１を底板３３に固定することが困難な構成となっているため、ファンモータ台２８１が底板３３に対する正規の取付位置からずれたまま固定されることを抑制することができる。
【００９４】
（２）
本実施形態では、挿入部４１３ａ，４１３ｂは、接触面４３３ａ，４３３ｂ，４３３ｃ，４３３ｄを有し、被挿入部３３３ａ，３３３ｂは、被接触面３３４ａ，３３４ｂ，３３４ｃ，３３４ｄを有している。これにより、挿入部４１３ａ，４１３ｂが被挿入部３３３ａ，３３３ｂに挿入された際、ファンモータ台２８１が底板３３に支持されることができる。これにより、施工者等は、固定用ネジ８１のネジ止め等の施工をしやすくなる。
【００９５】
また、本実施形態では、挿入部４１３ａ，４１３ｂが被挿入部３３３ａ，３３３ｂに挿入されることのよって、ファンモータ台２８１の第１方向のズレを規制することができる。これにより、施工者等は、固定用ネジ８１のネジ止め等の施工をしやすくなる。
【００９６】
＜本実施形態に係る空気調和機１の室外ユニット２の変形例＞
（Ａ）
上記実施形態では、底板３３に、切り起こし部３３１と被挿入部３３３ａ，３３３ｂとが形成されており、ファンモータ台２８１に、固定部４２２と挿入部４１３ａ，４１３ｂとが形成されているが、本発明はこれに限られるものではなく、逆の構成であってもよい。すなわち、底板３３に、第２ネジ孔４２２ａ（第２孔に相当）が形成された固定部４２２（第２板部に相当）及び挿入部４１３ａ，４１３ｂと同様の構成を有し同様の機能を有するものが形成されていてもよい。また、ファンモータ台２８１に、第１ネジ孔３３１ａ（第１孔に相当）が形成された切り起こし部３３１（第１板部に相当）及び被挿入部３３３ａ，３３３ｂと同様の構成を有し同様の機能を有するものが形成されていてもよい。
【００９７】
この場合であっても、上述したような効果を奏する。
【００９８】
（Ｂ）
上記実施形態では、固定部４２２は、外枠部４０２ａの固定部４２２を除く部分の前面に対して傾斜するように形成されているが、これに限られるものではない。
【００９９】
例えば、固定部４２２は、水平基部４０３の水平面に対して垂直となるように形成されていてもよい。この場合、底板３３に形成される切り起こし部３３１も、固定部４２２に略平行となるように底板３３の水平部３３ａから鉛直上方に延びるように形成される。
【０１００】
（Ｃ）
上記実施形態では、空気調和機１の室外ユニット２におけるファンモータ台２８１の底板３３への取付構造及び取付方法について説明したが、本発明はこれに限られるものではない。例えば、ファンモータ台２８１を底板３３へ取り付けるような本実施形態の取付構造及び取付方法は、他の冷凍機器（例えば、空気調和機の室内ユニット、給湯器等）にも適用することが可能である。
【産業上の利用可能性】
【０１０１】
本発明では、ファンモータ台が正規の取付位置からずれたまま固定されることを抑制できるので、有用である。
【符号の説明】
【０１０２】
１  空気調和機
２  室外ユニット
３３  底板
８１  固定用ネジ（固定用部材）
２８１  ファンモータ台
３３１  切り起こし部（第１板部）
３３１ａ  第１ネジ孔（第１孔）
３３３ａ，３３３ｂ  被挿入部
３３４ａ，３３４ｂ，３３４ｃ，３３４ｄ  被挿入部の被接触面（被挿入部の挿入部との接触面）
３３５ａ，３３５ｂ，３３５ｃ，３３５ｄ  被接触部
３３６ａ，３３６ｂ  上面側突出部
３３７ａ，３３７ｂ  上面側突出部の上面
３３８ａ，３３８ｂ，３３８ｃ，３３８ｄ  被接触部の上面
４１３ａ，４１３ｂ  挿入部
４２３ａ，４２３ｂ  下面側突出部
４２２  固定部（第２板部）
４２２ａ  第２ネジ孔（第２孔）
４３３ａ，４３３ｂ，４３３ｃ，４３３ｄ  挿入部の接触面（挿入部の上面）
５２３ａ，５２３ｂ  下面側突出部の下面
５２４ａ，５２４ｂ，５２４ｃ，５２４ｄ  平面部の下面（挿入部の下面側突出部を除く部分の下面）
ｄ２  下面側突出部の下面と平面部の下面との距離（下面側突出部の下面と、挿入部の下面側突出部を除く部分の下面との距離）
ｄ４  上面側突出部の上面と被接触部の上面との距離（上面側突出部の上面と、被挿入部の、挿入部との接触面を有する被接触部の上面との距離）
Ｗ１  上面側突出部の第１方向の幅
Ｗ２  被挿入部の第１方向の幅
Ｗ４  下面側突出部の第１方向の幅
Ｗ５  挿入部の第１方向の幅
【先行技術文献】
【特許文献】
【０１０３】
【特許文献１】特開平８−１７８３６１号公報
【図１】
2011106758.tif 000003
【図２】
2011106758.tif 000004
【図３】
2011106758.tif 000005
【図４】
2011106758.tif 000006
【図５】
2011106758.tif 000007
【図６】
2011106758.tif 000008
【図７】
2011106758.tif 000009
【図８】
2011106758.tif 000010
【図９】
2011106758.tif 000011
【図１０】
2011106758.tif 000012
【図１１】
2011106758.tif 000013
【図１２】
2011106758.tif 000014
【図１３】
2011106758.tif 000015
【図１４】
2011106758.tif 000016
【図１５】
2011106758.tif 000017